(57)【要約】【課題】脚支柱が前方に揺動されることで座体が机の天板の下方に収納される椅子において、使用者が着席する際に、椅子と机との間の空間に使用者が足を入れ易くすることができ、かつ使用者の臀部を座体の上面に配置し易くすることができる椅子を提供すること。【解決手段】床に固定された机１０の後方に設置される椅子１であって、床に固定されたベース３に対して前後方向に揺動可能に枢支された前脚支柱４及び後脚支柱５を有し、後脚支柱５に背凭れ７が固定されており、前脚支柱４の上端には、左右方向を向く軸心１２に対して揺動される座体９が枢支されるとともに、後脚支柱５の上端には、座体９が前後方向に摺動可能に連結される。【選択図】図６
2009172086.tif 000002
【特許請求の範囲】
【請求項１】
床に固定された机の後方に設置される椅子であって、
床に固定されたベースに対して前後方向に揺動可能に枢支された前脚支柱及び後脚支柱を有し、前記後脚支柱に背凭れが固定されており、前記前脚支柱の上端には、左右方向を向く軸心に対して揺動される座体が枢支されるとともに、前記後脚支柱の上端には、前記座体が前後方向に摺動可能に連結されることを特徴とする椅子。
【請求項２】
前記前脚支柱を前方に向けて付勢する付勢手段が設けられていることを特徴とする請求項１に記載の椅子。
【請求項３】
前記座体の下部には、前後方向を向くレール溝部が設けられており、該レール溝部に係合される係合部が前記後脚支柱に設けられていることを特徴とする請求項１または２に記載の椅子。
【請求項４】
前記後脚支柱の上端には、ローラ部材が配置され、該ローラ部材を介して前記後脚支柱が前記座体と連結されており、前記座体が前後方向に摺動移動される際に、該座体の下部が前記ローラ部材に摺接されることを特徴とする請求項１または２に記載の椅子。
【請求項５】
前記座体の下部には、前後方向を向くレール溝部が設けられており、該レール溝部に前記ローラ部材が係合されることを特徴とする請求項４に記載の椅子。
【発明の詳細な説明】
【技術分野】
【０００１】
本発明は、脚支柱が前方に揺動されることで座体が床に固定された机の天板の下方に収納される椅子に関する。
【背景技術】
【０００２】
従来の収納式椅子は、上面に座を有する座受け（座体）と、床面にボルト等で固設された脚座（ベース）との間に、前脚と後脚が回動可能に設けられており、後脚に取り付けられたガススプリングが、座受けを前脚の上端の軸を支点として回動するように付勢している。この椅子は、不使用時に後脚から上方に延びる背もたれを前方に倒すことで椅子全体が前方に回動して、座受けが机の天板下方に収納されるようになっている。また、使用する際には、使用者が背もたれを後方に引いたときに、座受けが略垂直に傾斜された状態として、椅子と机との間に使用者が足を踏み入れる空間を形成して、座受けが邪魔にならないようにしている（例えば、特許文献１参照）。
【０００３】
【特許文献１】特許第３８０３６４２号公報（第４頁、第５図）
【発明の開示】
【発明が解決しようとする課題】
【０００４】
しかしながら、特許文献１に記載の収納式椅子にあっては、前脚と後脚とが、脚座（ベース）から座受け（座体）まで延設されているため、使用者が椅子と机との間に足を踏み入れる際に、前脚が邪魔になることがある。また、常にガススプリングによって、座受けを前脚の上端の軸を支点として前方に回動付勢しているため、使用者が着席する際に、座受けが略垂直状態に傾斜されるようになっており、使用者の臀部を座受けの上面に配置し難くなり、使用者が着席し難いという問題がある。
【０００５】
本発明は、このような問題点に着目してなされたもので、脚支柱が前方に揺動されることで座体が机の天板の下方に収納される椅子において、使用者が着席する際に、椅子と机との間の空間に使用者が足を入れ易くすることができ、かつ使用者の臀部を座体の上面に配置し易くすることができる椅子を提供することを目的とする。
【課題を解決するための手段】
【０００６】
前記課題を解決するために、本発明の請求項１に記載の椅子は、
床に固定された机の後方に設置される椅子であって、
床に固定されたベースに対して前後方向に揺動可能に枢支された前脚支柱及び後脚支柱を有し、前記後脚支柱に背凭れが固定されており、前記前脚支柱の上端には、左右方向を向く軸心に対して揺動される座体が枢支されるとともに、前記後脚支柱の上端には、前記座体が前後方向に摺動可能に連結されることを特徴としている。
この特徴によれば、使用者が着席する際に、座体を前脚支柱の揺動とともに後方向に移動させることができ、座体及び前脚支柱が邪魔にならず、椅子と机との間の空間を広く形成して使用者が足を踏み入れ易くすることができ、かつ座体の上面を略水平状態にしたまま座体を後方向に摺動移動させることができるため、使用者が着席する際に、使用者の臀部を座体の上面に配置し易くなる。
【０００７】
本発明の請求項２に記載の椅子は、請求項１に記載の椅子であって、
前記前脚支柱を前方に向けて付勢する付勢手段が設けられていることを特徴としている。
この特徴によれば、付勢手段により前脚支柱が前方に揺動されるとともに、座体に連結された後脚支柱も前方に揺動されるようになり、使用位置にある椅子から使用者が離席するだけで、椅子の座体が机の天板の下方に収納される収納位置に、椅子が自動的に切り換わるようになり、使用者が椅子を収納位置に移動させる煩わしさがなくなる。
【０００８】
本発明の請求項３に記載の椅子は、請求項１または２に記載の椅子であって、
前記座体の下部には、前後方向を向くレール溝部が設けられており、該レール溝部に係合される係合部が前記後脚支柱に設けられていることを特徴としている。
この特徴によれば、後脚支柱の係合部に係合される座体のレール溝部によって、座体が左右方向にずれることなく摺動移動されるようになる。
【０００９】
本発明の請求項４に記載の椅子は、請求項１または２に記載の椅子であって、
前記後脚支柱の上端には、ローラ部材が配置され、該ローラ部材を介して前記後脚支柱が前記座体と連結されており、前記座体が前後方向に摺動移動される際に、該座体の下部が前記ローラ部材に摺接されることを特徴としている。
この特徴によれば、ローラ部材により座体を前後方向に摺動移動させる際の摺動抵抗を低減させることができる。
【００１０】
本発明の請求項５に記載の椅子は、請求項４に記載の椅子であって、
前記座体の下部には、前後方向を向くレール溝部が設けられており、該レール溝部に前記ローラ部材が係合されることを特徴としている。
この特徴によれば、後脚支柱のローラ部材に係合される座体のレール溝部によって、座体が左右方向にずれることなく摺動移動されるようになる。
【発明を実施するための最良の形態】
【００１１】
本発明に係る椅子を実施するための最良の形態を実施例に基づいて以下に説明する。
【実施例】
【００１２】
本発明の実施例を図面に基づいて説明すると、先ず図１は、本実施例における机と椅子を示す側面図であり、図２は、椅子の全体像を示す分解斜視図であり、図３は、椅子が使用される使用状態を示す斜視図であり、図４は、椅子の座体が摺動される摺動状態を示す斜視図であり、図５は、椅子が収納される収納状態を示す縦断側面図であり、図６は、椅子が使用される使用状態を示す縦断側面図であり、図７は、椅子の座体が摺動される摺動状態を示す縦断側面図である。以下、図１及び図５〜図７の紙面左方側を椅子の正面側（前方側）として説明する。
【００１３】
図１の符号１は、大学や企業の講義室等に設置される本発明の適用された椅子１である。本実施例では、複数の机２が前後方向の所定間隔毎に床に固定されており、それぞれの机２の背面側には、複数の椅子１が床に固定された状態で設けられている。尚、特に図示はしないが、これらの机２は、左右横長に形成された講義室用の机２となっている。また、椅子１は机２に沿って左右方向に所定間隔毎に複数設けられている。
【００１４】
また、図２に示すように、椅子１は床面に固定されたベース３を有しており、このベース３には、前脚支柱４及び後脚支柱５が前後方向に揺動可能に枢着されている。更に、後脚支柱５の上部後方からは、左右方向に延設された後に上方に向かって延設された略Ｌ字形状の支持棒６，６が左右対となって設けられており、これら支持棒６，６の上部に背凭れ７が設けられている。尚、支持棒６，６下部には、支持棒６，６と背凭れ７で囲まれた中空部８（退避部）が形成されている。更に尚、これら前脚支柱４と後脚支柱５の上方には、椅子１の座体９が配置されている。
【００１５】
図１に示すように、この椅子１の座体９は、前脚支柱４及び後脚支柱５が正面側に揺動されることで、座体９の上面が正面側に傾斜するようになっている。具体的には、図１の紙面左側の椅子１に示すように、椅子１の不使用時には、前脚支柱４及び後脚支柱５が正面側に揺動されて前方に傾くようになっているとともに、座体９の後部が上昇するように傾斜されており、座体９が机２の天板１０下方に収納された収納状態（収納位置）とすることができ、椅子１が邪魔にならずに済むようにできる（図５参照）。
【００１６】
尚、収納状態では、椅子１と、該椅子１の背面側に設けられた机２との間の空間を、使用者Ｕが通行できるようになっている。また、図１の紙面右側の椅子１に示すように、収納状態から使用者Ｕが椅子１の背凭れ７を掴んで後方に倒した使用状態（着座可能状態）とすることができる（図３及び図６参照）。
【００１７】
更に、図１の紙面中央の椅子１に示すように、使用者Ｕは着座する際に、座体９を背面側（後方側）に摺動移動できるようになっている。具体的には、使用者Ｕが手動にて座体９を背面側に向けて摺動移動させるとともに、椅子１と、該椅子１の正面側に設けられた机２との間の空間に片足を踏み入れて、引屈（膝裏）や脹脛などの足の背面側の部位を座体９の前端部に当接させて座体９を背面側に向けて更に押圧する。
【００１８】
このとき座体９は前述した中空部８内に退避される。この状態の椅子１が座体９を背面側に摺動移動させた摺動状態となっている（図４及び図７参照）。椅子１が摺動状態となっているときには、椅子１と机２との間の空間を広くすることができ、足を踏み入れ易くなっている。
【００１９】
尚、本実施例では、使用者Ｕが着席する際に、始めに手動にて座体９を移動させているが、始めから片足を椅子１と机２との間の空間に踏み入れて、その足の背面側のみで座体９を背面側に摺動移動させるようにしてもよく、この場合でも片足を踏み入れることができれば、他方の足が容易に椅子１と机２との間の空間に踏み入れられるようになる。
【００２０】
そして、図１の紙面右側の椅子１に示すように、使用者Ｕが摺動状態の椅子１の座体９に着席しようとして、使用者Ｕの膝が正面側に屈曲することにより、使用者Ｕの引屈（膝裏）の移動とともに、前脚支柱４の前方へ揺動移動され、かつ座体９が正面側（前方側）に摺動移動される。そして、椅子１が使用される使用状態（着座可能状態）に戻り、使用者Ｕが座体９に着席することができる。
【００２１】
次に、椅子１の構成について詳述する。図２に示すように、前脚支柱４及び後脚支柱５の下端部がベース３に枢着されており、ベース３の内部には、前脚支柱４を正面側（前方側）に付勢する本実施例における付勢手段としてのコイルバネ１１（図５参照）が配置されている。このようにすることで、前脚支柱４はコイルバネ１１の付勢力によって正面側に揺動可能に弾性付勢され、椅子１の不使用時には、自動的に椅子１を収納状態にすることができる。
【００２２】
また、前脚支柱４の上端部には、座体９を枢着するための枢軸１２を挿通する挿通孔１３が左右方向に貫通されている。この挿通孔１３には、本実施例における左右方向を向く軸心としての枢軸１２が挿通される（図６参照）。
【００２３】
更に、後脚支柱５の上端部には、座体９に係合する係合部材１４が設けられている。尚、この係合部材１４は左右方向に長い略円柱形状に形成されている。その左右端部には、ローラ部材１５，１５（係合部）が取り付けられている。
【００２４】
図２に示すように、前脚支柱４の上端部に枢着される座体９は、後脚支柱５の上端部には、略箱体形状をなす座フレーム９ａが係合されている。また、この座フレーム９ａには、座フレーム９ａを上方から被覆するカバー体９ｂが取り付けられている。更に、カバー体９ｂの上部には、使用者Ｕの臀部が載置される座板９ｃが取り付けられる。尚、この座フレーム９ａとカバー体９ｂと座板９ｃとにより本実施例の座体９が構成されている。更に尚、座体９の横幅は、前述した支持棒６，６間の横幅よりも短く構成されており、中空部８内と通過可能な幅に形成されている。
【００２５】
また、座フレーム９ａは、矩形状の板材の左右を下方に折り曲げて形成され、その左右端部は、更に座フレーム９ａの内方に向かって折り曲げられることで、正面視で略コ字形状に形成され、前後方向を向くレール溝部１７，１７が形成されている。このレール溝部１７，１７内を、後脚支柱５の上端部に設けられたローラ部材１５，１５が摺動移動するようになっている。
【００２６】
更に、座フレーム９ａ前部には、前脚支柱４の上部に設けられた挿通孔１３に配置される枢軸１２に枢着されるブラケット１６が設けられている（図６参照）。このブラケット１６は、左右端部で前脚支柱４の上端部を左右方向から挟み込むようになっており、この状態で枢軸１２をブラケット１６と前脚支柱４の挿通孔１３に挿通することにより、座フレーム９ａが枢軸１２に対して揺動可能に枢支されるようになる。
【００２７】
尚、座フレーム９ａ後部には、係合部材１４を座フレーム９ａ内で係合する係合片１８が設けられている。この係合部材１４が座フレーム９ａ内に係合されることで、座体９の後方向への摺動を規制している。この係合部材１４と係合片１８との係合によって、座フレーム９ａを介して前脚支柱４と後脚支柱５との連結状態を維持するようになっている。すなわちコイルバネ１１の付勢力によって前脚支柱４が前方に揺動されると、後脚支柱５も前方に揺動され、かつ使用者Ｕが背凭れ７を掴んで後脚支柱５を後方に倒すと、前脚支柱４も後方に倒れるようになっている。
【００２８】
次に、この椅子１の動作について詳述する。先ず、図５に示すように、不使用時における椅子１は、ベース３内に設けられたコイルバネ１１の付勢力により前方に傾斜しており、座体９は、ほぼ全てが天板１０の下方に位置する収納状態（収納位置）となっている。
【００２９】
椅子１を使用する際には、使用者Ｕが収納状態の椅子１の背凭れ７を背面側に引くことにより、後脚支柱５の上端部に設けられた係合部材１４が係合片１８に係合されて、前脚支柱４及び後脚支柱５を背面側に揺動させる。そして、椅子１を図６に示す使用状態とする。このとき座体９の上面は、略水平状態が維持されるようになっている。
【００３０】
また、使用状態の椅子１の座体９を使用者Ｕが手動にて背面側に向けて摺動移動させるとともに、使用者Ｕは机２と椅子１間の空間に片足を踏み入れる。そして、使用者Ｕは机２と椅子１間の空間に踏み入れた足の背面側を座体９の前部に当接させて、更に座体９を背面側に向けて押圧する。座体９は、中空部８内に向かって摺動移動されて、椅子１が摺動状態となる（図７参照）。座体９が摺動移動される際には、ローラ部材１５，１５が座フレーム９ａのレール溝部１７，１７内を摺接されるようになっている。
【００３１】
尚、座体９が中空部８内に向かって摺動移動されて椅子１が摺動状態となると、前脚支柱４が座体９とともに背面側に揺動されるととも、座板９ｃを略水平に保ったまま座体９が摺動移動されるようになっており、座体９に使用者Ｕが腰掛け易くなっている。
【００３２】
そして、使用者Ｕが摺動状態である椅子１の座体９に着席する際には、使用者Ｕの膝が正面側に屈曲されることによって、座体９の前方に空間が形成され、ベース３内に配置されたコイルバネ１１の付勢力により前脚支柱４が正面側に揺動されるとともに、前脚支柱４の上端部に引かれて座体９が中空部８内から正面側に摺動移動される。そして、再び図６に示す使用状態となる。このとき、使用者Ｕは摺動状態にあった椅子１から膝を屈曲させて着席することで、座体９の正面側への摺動によって使用状態である椅子１に着席することができる。
【００３３】
また、椅子１を図６に示す使用状態から図５に示す収納状態にする際には、使用者Ｕの臀部が座板９ｃから離れることで、コイルバネ１１の付勢力により前脚支柱４及び座体９が正面側に揺動される。そして、後脚支柱５は、上端部の係合部材１４が、座フレーム９ａの係合片１８に係合されることで、背凭れ７とともに正面側に揺動され、座体９が机２の天板１０の下方位置に配置される収納状態になる。
【００３４】
以上、本実施例の椅子１では、床に固定されたベース３に対して前後方向に揺動可能に枢支された前脚支柱４及び後脚支柱５を有し、後脚支柱５に背凭れ７が固定されており、前脚支柱４の上端には、左右方向を向く枢軸１２に対して揺動される座体９が枢支されるとともに、後脚支柱５の上端には、座体９が前後方向に摺動可能に連結されることで、使用者Ｕが着席する際に、座体９を前脚支柱４の揺動とともに後方向に移動させることができ、座体９及び前脚支柱４が邪魔にならず、椅子１と机２との間の空間を広く形成して使用者Ｕが足を踏み入れ易くすることができる。また、座体９を略水平状態に維持したまま座体９を後方向に摺動移動させることができるため、使用者Ｕが着席する際に、使用者の臀部を座体９に配置し易くなる。
【００３５】
また、前脚支柱４を前方に向けて付勢するコイルバネ１１が設けられていることで、コイルバネ１１により前脚支柱４が前方に揺動されるとともに、座体９に連結された後脚支柱５も前方に揺動されるようになり、使用位置にある椅子１から使用者Ｕが離席するだけで、椅子１の座体９が机２の天板１０の下方に収納される収納状態（収納位置）に、椅子１が自動的に切り換わるようになり、使用者Ｕが椅子１を収納状態に切り換える煩わしさがなくなる。
【００３６】
また、後脚支柱５の上端には、ローラ部材１５，１５が配置され、ローラ部材１５，１５を介して後脚支柱５が座体９と連結されており、座体９が前後方向に摺動移動される際に、座体９のレール溝部１７，１７がローラ部材１５，１５に摺接されることで、ローラ部材１５，１５により座体９を前後方向に摺動移動させる際の摺動抵抗を低減させることができる。
【００３７】
また、座フレーム９ａには、前後方向を向くレール溝部１７，１７が設けられており、レール溝部１７，１７にローラ部材１５，１５が係合されることで、後脚支柱５のローラ部材１５，１５に係合される座フレーム９ａのレール溝部１７，１７によって、座体９が左右方向にずれることなく摺動移動されるようになる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、ローラ部材１５，１５をレール溝部１７，１７に係合される係合部として構成していたが、ローラ部材１５，１５と係合部とを兼用しなくてもよく、座体９におけるローラ部材１５，１５の配置位置以外の位置に係合部を設け、この係合部と係合されるレール溝部を、座体９におけるレール溝部１７，１７の配置位置以外の位置に設けるようにしてもよい。
【００４０】
また、前記実施例では、座体９が背面側に向かって摺動移動される際に、支持棒６，６と背凭れ７によって囲まれた中空部８内を通過するようになっており、背凭れ７の左右幅と中空部８の左右幅が略同一となっているが、例えば、左右それぞれの支持棒６，６を外方に膨出するように湾曲させて配置することで中空部を部分的に左右に拡張し、座体９を通過可能としてもよく、このようにすれば、背凭れ７の左右幅よりも大きな左右幅の座体９を形成することができる。
【００４１】
また、前記実施例では、座体９が背面側に向かって摺動移動される際に、支持棒６，６と背凭れ７によって囲まれた中空部８内を通過するようにしたが、支持棒６，６は座体９の摺動移動を妨げなければどのような形状をしていてもよく、例えば、後脚支柱５から上方に向けて１本の支持棒を延設させるとともに、座体に支持棒が通過できる溝条を形成し、座体が背面側に向けて摺動移動する際には、支持棒が座体の溝条内に退避されるようにしてもよい。
【００４２】
また、前記実施例では、使用状態である椅子１に使用者Ｕが着席している状態から、使用者Ｕの臀部が座体９から離れることで、コイルバネ１１の付勢力によって椅子１の座体９が机２の天板１０下方に収納される収納状態となるようにしたが、背凭れ７の背面側に使用者Ｕのバッグ等の荷物を吊持するフックを設けることで、このフックに吊持した荷物の荷重によって、使用者Ｕが座体９から離れても、椅子１が使用状態から収納状態に移行しないように規制するようにしてもよい。
【００４３】
また、前記実施例では、使用状態である椅子１に使用者Ｕが着席している状態から、使用者Ｕの臀部が座体９から離れることで、コイルバネ１１の付勢力によって椅子１の座体９が机２の天板１０下方に収納される収納状態となるようにしたが、ベース３にコイルバネ１１の付勢力を規制するストッパー等を設けることで、使用者Ｕが座体９から離れても、椅子１が使用状態から収納状態に移行しないように規制するようにしてもよい。
【００４４】
また、前記実施例では、使用状態である椅子１の座体９を使用者Ｕの足の背面側で中空部８に向けて摺動移動させた後に、使用者Ｕが膝を正面側に屈曲することで、コイルバネ１１の付勢力によって、座体９が正面側に向けて摺動移動されて、椅子１を使用状態としたが、前脚支柱４と後脚支柱５の上端部間にダンパ等の緩衝手段を取り付けることで、緩衝手段の付勢力により座体９が正面側に向かって摺動移動する摺動速度を調整可能としてもよい。
【００４５】
また、前記実施例では、本発明が適用された椅子１を、大学や企業の講義室等に設置される椅子１として説明したが、椅子１が設置される場所は飲食店等の講義室以外の場所でもよい。
【図面の簡単な説明】
【００４６】
【図１】本実施例における机と椅子を示す側面図である。
【図２】椅子の全体像を示す分解斜視図である。
【図３】椅子が使用される使用状態を示す斜視図である。
【図４】椅子の座体が摺動される摺動状態を示す斜視図である。
【図５】椅子が収納される収納状態を示す縦断側面図である。
【図６】椅子が使用される使用状態を示す縦断側面図である。
【図７】椅子の座体が摺動される摺動状態を示す縦断側面図である。
【符号の説明】
【００４７】
１                椅子
２                机
３                ベース
４                前脚支柱
５                後脚支柱
６                支持棒
７                背凭れ
８                中空部
９                座体
９ａ              座フレーム
９ｂ              カバー体
９ｃ              座板
１０              天板
１１              コイルバネ（付勢手段）
１２              枢軸（軸心）
１３              挿通孔
１４              係合部材
１５              ローラ部材（係合部）
１６              ブラケット
１７              レール溝部
１８              係合片
【図１】
2009172086.tif 000003
【図２】
2009172086.tif 000004
【図３】
2009172086.tif 000005
【図４】
2009172086.tif 000006
【図５】
2009172086.tif 000007
【図６】
2009172086.tif 000008
【図７】
2009172086.tif 000009